【事件の表示】
　特願２０００−６００２０２「リレーショナルシステムにおける階層的に編成された情報にアクセスするための階層的インデックス付け」拒絶査定不服審判事件〔平成１２年　８月２４日国際公開、ＷＯ００／４９５３３、平成１５年　２月１２日国内公表、特表２００３−５０５７４８〕について、次のとおり審決する。
【結　論】
　本件審判の請求は、成り立たない。
【理　由】
１．手続の経緯 
　本願は、２０００年２月１７日（パリ条約による優先権主張外国庁受理１９９９年２月１８日、米国）を国際出願日とする出願であって、平成１７年１０月１７日付けで拒絶査定され、これに対して平成１８年２月１７日付けで拒絶査定不服審判の請求がなされるとともに、同年３月１７日付けで手続補正書が提出されたが、当審において平成２１年１０月１６日付けで拒絶理由が通知され、平成２２年２月１８日付けで手続補正書が提出されたものである。
　　
　 
２．当審の通知した拒絶理由 
　当審において平成２１年１０月１６日付けで通知した拒絶の理由の概要は、次のとおりのものである。 
 　 
 「　この審判事件に関する出願は、合議の結果、以下の理由によって拒絶をすべきものです。これについて意見がありましたら、この通知書の発送の日から３ヶ月以内に意見書を提出してください 。 
　　
 　　　　　　　　　　　　　　　理　由 
　　
 Ａ．この出願は、特許請求の範囲の記載が下記の点で、特許法第３６条第６項第２号に規定する要件を満たしていない。 
 　　 
 　　　　　　　　　　　　　　　　記 
 １．請求項１〜２４について 
 （１）インデックスの行及び列の構造、または、インデックスエントリの各要素が不明りょうなため、インデックス自体の構成が不明りょうである。 
 　　 
 （２）（略）
 　　 
 ２．請求項１〜７、１６〜２３ついて 
　（略） 　　 
 　　 
 ３．請求項２、１７について 
　（略） 　　 
　
 ４．請求項３、１８について 
　（略） 　　 
 　　 
 ５．請求項４、２０について 
　（略） 　　 
 　　 
 ６．請求項８〜１５、２４について 
　（略） 　　 
 　　 
 ７．請求項９〜１２について 
　（略） 　　 
 　　 
 ８．請求項２３について 
　（略）
　 
Ｂ．この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　 
 　　　　　　　記　　　（引用文献等については引用文献等一覧参照） 
 　　 
 　請求項１〜２４について 
 　引用文献：１ 
 １．引用文献１には、図３の索引分類の階層構造に、「文書種類」という索引の下位索引（本願の「子」に相当）に「仕様書」、「特許」、「研報」があり、「特許」の下位索引に「明細書」、「図面」があることが記載され、図7の索引階層テーブルには、索引ＩＤ「＃００１０」に対して「＃００１１」、「＃００１２」、「＃００１５」の索引ＩＤが対応づけられ、索引ＩＤ「＃００１２」に対して「＃００１３」、「＃００１４」の索引ＩＤが対応づけられたテーブル構成が記載され、また、「＃００１１」、「＃００１２」、「＃００１５」はそれぞれ「仕様書」、「特許」、「研報」に該当し、「＃００１３」、「＃００１４」はそれぞれ「明細書」、「図面」に該当しているので、引用文献１には、ある索引が複数の下位索引を有する場合、ある索引ＩＤに対してすべての下位索引に関する索引ＩＤが対応づけられ、かつ、対応づけられた索引ＩＤについても同様に下位索引に関する索引ＩＤが対応づけられたテーブルが記載されている。 
 ２．本願発明では、インデックスの構成、配列エントリの構成が不明りょうなため、リンク程度しか特定されていない配列エントリの構成では、引用文献１に記載された、ある索引ＩＤに対してすべての下位索引に関する索引ＩＤが対応づけられた発明に対して、格別の差違があるとは認められない。 　　　　 
 　　　　　　　　　　　　引　用　文　献　等　一　覧 
 　　　１．特開平７−８５１０２号公報 
 　 
　 
［補正の示唆］ 
　各インデックスエントリが図５に記載されたＲｏｗＩＤ、ＦｉｌｅＩＤ、Ｄｉｒ Ｅｎｔｒｙ ｌｉｓｔを有し、Ｄｉｒ Ｅｎｔｒｙ ｌｉｓｔ内の配列エントリは、子のファイル名、該子のＲｏｗＩＤ、該子のＦｉｌｅＩＤを有している点を明記することを検討して下さい。」　　 
　　
 　　 
３．平成２２年２月１８日付けの手続補正書について
　上記拒絶理由に対して、請求人から平成２２年２月１８日付けで提出された手続補正書により補正された特許請求の範囲の記載は、次のとおりのものである。 
　　
 「　【請求項１】　階層に編成されて記憶装置に記憶されている複数個の項目にアクセスするためにインデックス付けするための方法であって、各前記項目はリレーショナルデータベースシステムにおいて検索され、前記方法は、プロセッサを含むコンピュータによって実行され、
　前記プロセッサにより、前記記憶装置におけるインデックスを生成するステップを含み、前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を、前記記憶装置において識別する直接リンクを含むことにより、前記項目の子項目に対応するインデックスにおける全てのインデックスエントリに関連付けられており、
　前記プロセッサにより、前記複数個の項目の第１の項目のための第１のインデックスエントリを前記インデックスに記憶するステップとを含み、前記第１の項目は、前記階層において第２の項目の子であり、前記方法はさらに、
　前記プロセッサにより、前記複数個の項目の前記第２の項目のための第２のインデックスエントリを前記インデックスに記憶するステップを含み、前記第２のインデックスエントリは、前記インデックスにおける前記第１のインデックスエントリの第１の記憶場所を前記記憶装置において識別する第１の直接リンクを含む、方法。
　　【請求項２】　前記第２のインデックスエントリは、配列エントリの配列を含み、前記配列エントリの配列は、前記第２の項目の各子項目についての配列エントリを含み、前記配列エントリの配列における配列エントリは、前記直接リンクを含む、請求項１に記載の方法。
　　【請求項３】　前記プロセッサにより、前記第１の項目に関連付けられる第１の名前および前記第２の項目に関連付けられる第２の名前を含む、複数の名前からなるシーケンスを受取るステップと、
　前記プロセッサにより、前記第２の名前を用いて前記第２のインデックスエントリを前記インデックス内において位置付けるステップと、
　前記プロセッサにより、前記第１の名前を用いて、前記第１の項目のための配列エントリを前記第２のインデックスエントリにおける前記配列内に位置付けるステップとを含み、前記第１の項目のための前記配列エントリは、前記第１の直接リンクを含み、
　前記プロセッサにより、前記第１の項目のための前記配列エントリから前記第１の直接リンクを読出すステップと、
　前記プロセッサにより、前記第１のインデックスエントリへの前記リンクを辿るステップとをさらに含む、請求項２に記載の方法。
　　【請求項４】　前記複数個の項目は、前記第２の項目の子である第３の項目を含み、前記方法は、
　前記プロセッサにより、前記第３の項目のための第３のインデックスエントリを前記インデックス中に記憶するステップと、
　前記プロセッサにより、前記インデックスにおける前記第３の項目の第２の記憶場所を前記記憶装置において識別する第２の直接リンクを、前記第２のインデックスエントリに記憶するステップとを含む、請求項１に記載の方法。
　　【請求項５】　前記第１のインデックスエントリは、前記第１の項目を位置付けるための情報を含み、
　前記第２のインデックスエントリは、前記第２の項目を位置付けるための情報を含む、請求項１に記載の方法。
　　【請求項６】　前記第１の項目は前記インデックスの外部に記憶され、
　前記第２のインデックスエントリは、前記インデックスの外部に前記第１の項目を位置付けるための情報を含む、請求項１に記載の方法。
　　【請求項７】　前記プロセッサにより、配列エントリの前記配列を、前記配列エントリの配列における配列エントリに関連付けられる子項目に基づいてソートされた順で維持するステップをさらに含む、請求項１に記載の方法。
　　【請求項８】　階層に編成されて記憶装置に記憶されている互いに関連する複数個の項目にアクセスするためのインデックスが記憶されているコンピュータ読出可能媒体であって、各前記項目はリレーショナルデータベースシステムに記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記コンピュータ読出可能媒体において識別する直接リンクを、前記インデックスに含むことによって、前記項目の子項目に対応するインデックス内のすべてのインデックスエントリに対してリンクされている、コンピュータ読出可能媒体。
　　【請求項９】　前記複数個の項目は、前記インデックスの外部に電子的に記憶され、
　前記複数個のインデックスエントリの各インデックスエントリは、前記インデックスの外部に前記インデックスエントリに対応する項目を位置付けるための一意の識別子を記憶する、請求項８に記載のコンピュータ読出可能媒体。
　　【請求項１０】　前記複数個の項目は、テーブルの行に記憶され、
　前記複数個のインデックスエントリの各インデックスエントリは、前記インデックスエントリに対応する前記項目のための前記行を前記テーブルに位置付けるための一意の識別子を記憶する、請求項９に記載のコンピュータ読出可能媒体。
　　【請求項１１】　前記複数個の項目は、前記インデックスの外部に電子的に記憶され、
　前記複数個のインデックスエントリの各インデックスエントリは、前記インデックスの外部に前記インデックスエントリに対応する前記項目の前記子項目を位置付けるための一意の識別子を記憶する、請求項８に記載のコンピュータ読出可能媒体。
　　【請求項１２】　前記複数個の項目は、テーブルの行に記憶され、
　前記複数個のインデックスエントリの各インデックスエントリは、前記インデックスエントリに対応する前記項目の前記子項目のための前記行を前記テーブル中に位置付けるための一意の識別子を記憶する、請求項１１に記載のコンピュータ読出可能媒体。
　　【請求項１３】　前記直接リンクは、配列における配列エントリに格納されており、前記配列の各配列エントリは、前記項目の子項目についてのものであり、前記項目の前記子項目のための名前を記憶する、請求項８に記載のコンピュータ読出可能媒体。
　　【請求項１４】　前記配列内の配列エントリは、前記項目の子項目の名前に基づいてソートされた順で維持される、請求項１３に記載のコンピュータ読出可能媒体。
　　【請求項１５】　階層に編成されて記憶装置に記憶されている複数個の項目にアクセスするためにインデックス付けするための命令の１つ以上のシーケンスを担持するコンピュータ読出可能媒体であって、各前記項目はリレーショナルデータシステムにおいて検索され、前記１つ以上のプロセッサによる前記命令の１つ以上のシーケンスの実行により、前記１つ以上のプロセッサは、
　前記記憶装置におけるインデックスを生成するステップを行い、前記インデックスは、複数のインデックスエントリを含み、前記複数のインデックスエントリの各インデックスエントリは、前記複数個の項目のうちの１つの項目に対応しており、かつ、前記インデックスにおける全てのインデックスエントリの記憶場所を前記記憶装置において識別する直接リンクを含むことにより、前記項目の子項目に対応するインデックスにおける全てのインデックスエントリに関連付けられており、
　前記複数個の項目の第１の項目のための第１のインデックスエントリを前記インデックスに記憶するステップとを行い、前記第１の項目は、前記階層において第２の項目の子であり、さらに、
　前記複数個の項目の第２の項目のための第２のインデックスエントリを前記インデックスに記憶するステップを行い、前記第２のインデックスエントリは、前記第１のインデックスエントリの第１の記憶場所を前記記憶装置において識別する第１の直接リンクを、前記インデックス中に含む、コンピュータ読出可能媒体。
　　【請求項１６】　前記第２のインデックスエントリは、配列エントリの配列を含み、前記配列エントリの配列は、前記第２の項目の各子項目についての配列エントリを含み、前記配列エントリの配列における配列エントリは、前記直接リンクを含む、請求項１５に記載のコンピュータ読出可能媒体。
　　【請求項１７】　前記１つ以上のプロセッサによる前記命令の１つ以上のシーケンスの実行により、前記１つ以上のプロセッサは、前記第１の項目に関連付けられる第１の名前を含む、複数の名前からなるシーケンスを受取るステップと、
　前記第２の名前を用いて前記第２のインデックスエントリを前記インデックス内において位置付けるステップと、
　前記第１の名前を用いて、前記第１の項目のための配列エントリを前記第２のインデックスエントリにおける前記配列内に位置付けるステップとを行い、前記第１の項目のための前記配列エントリは、前記第１の直接リンクを含み、
　前記第１の項目のための前記配列エントリから前記第１の直接リンクを読出すステップと、
　前記第１のインデックスエントリへの前記リンクを辿るステップとを行う、請求項１６に記載のコンピュータ読出可能媒体。
　　【請求項１８】　前記１つ以上のプロセッサによる前記命令の１つ以上のシーケンスの実行により、前記１つ以上のプロセッサは、配列エントリの前記配列を、前記配列エントリの配列における配列エントリに関連付けられる子項目に基づいてソートされた順で維持するステップを行う、請求項１５に記載のコンピュータ読出可能媒体。
　　【請求項１９】　前記複数個の項目は、前記第２の項目の子である第３の項目を含み、前記１つ以上のプロセッサによる前記命令の１つ以上のシーケンスの実行により、前記１つ以上のプロセッサは、
　前記第３の項目のための第３のインデックスエントリを前記インデックス中に記憶するステップと、
　前記第３の項目の第２の記憶場所を識別する第２の直接リンクを、前記第２のインデックスエントリに記憶するステップとを行う、請求項１５に記載のコンピュータ読出可能媒体。
　　【請求項２０】　前記第１のインデックスエントリは、前記第１の項目を位置付けるための情報を含み、
　前記第２のインデックスエントリは、前記第２の項目を位置付けるための情報を含む、請求項１５に記載のコンピュータ読出可能媒体。
　　【請求項２１】　前記第１の項目は前記インデックスの外部に記憶され、
　前記第２のインデックスエントリは、前記インデックスの外部に前記第１の項目を位置付けるための情報を含む、請求項１５に記載のコンピュータ読出可能媒体。
　　【請求項２２】　メモリと、
　前記メモリに結合され、かつ階層に編成されて、記憶装置に記憶されている互いに関連する複数個の項目にアクセスするためのインデックス付けするための命令の１つ以上のシーケンスを実行するよう構成される１つ以上のプロセッサとを含み、前記１つ以上のプロセッサは、
　前記記憶装置におけるインデックスを生成するための生成手段を含み、前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を前記記憶装置において識別する直接リンクを含むことにより、前記項目の子項目に対応するインデックスにおける全てのインデックスエントリに関連付けられており、
　前記複数個の項目の第１の項目のための第１のインデックスエントリを前記インデックスに記憶するための手段を含み、前記第１の項目は、前記階層において第２の項目の子であり、さらに、
　前記複数個の項目の前記第２の項目のための第２のインデックスエントリを前記インデックスに記憶するための手段を含み、前記第２のインデックスエントリは、前記第１のインデックスエントリの第１の記憶場所を前記メモリにおいて識別する第１の直接リンクを、前記インデックス中に含む、コンピュータ装置。
　　【請求項２３】　階層に編成されて記憶装置に記憶されている、互いに関連する複数個の項目にアクセスするためのインデックスが記憶されているメモリを含み、前記複数の項目の各々はリレーショナルデータベースシステムに記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記メモリにおいて識別する直接リンクを前記インデックスに含むことによって、前記項目の子項目に対応するインデックス内のすべてのインデックスエントリに対してリンクされている、コンピュータ装置。 」
 　 
４．請求人の提出した意見書 
 　一方、請求人から平成２２年２月１８日付けで提出された意見書の概要は、次のとおりのものである。 
 　 
「第１　はじめに
　（１）　不服２００６−３０３０審判事件に関する特願２０００−６００２０２（以下「本願」といいます。）についての平成２１年１０月１６日付起案（同年１０月２０日付発送）の拒絶理由通知書におきまして、審判官殿は、本願を以下の理由によって拒絶をすべきものである旨の見解を示されました。
＜理由Ａ＞　特許請求の範囲の記載が、特許法第３６条第６項第２号に規定する要件を満たしていない。
＜理由Ｂ＞　請求項１〜２４に係る発明は、その出願前に日本国内又は外国において頒布された下記の刊行物（以下「引用文献１」といいます。）に記載された発明に基いて、その出願前にその発明の属する技術の分野における通常の知識を有する者（以下「当業者」といいます。）が容易に発明をすることができたものであるから、特許法第２９条第２項の規定により特許を受けることができない。
・引用文献１：特開平７−８５１０２号公報
　（２）　これに対して出願人は、同日付提出の手続補正書におきまして、特許請求の範囲の記載を補正致しました。以下、当該補正の適法性および拒絶の理由が解消していることについてご説明申し上げます。
　　
第２　補正の適法性について
　出願人は、同日付提出の手続補正書におきまして、請求項１５を削除し、その余の請求項の記載を補正致しました。当該補正の結果、請求項１−２３が本願に係属しており、そのうち、独立の請求項は、請求項１，８，１５，２２および２３です。
　これらの補正は、以下に申し述べますとおり、願書に最初に添付した明細書、特許請求の範囲又は図面に記載した事項の範囲内でしたものであって、平成１８年改正前の特許法（以下「特許法」といいます。）第１７条の２第３項に規定する要件を満たす適法な補正であると思料致します。
　　（２−１）　請求項１について
　（ａ）　「前記インデックスは、複数のインデックスエントリを含み」に係る補正事項は、たとえば、図５、明細書の段落００４２における「ある実施例に従えば、この発明の原理に従う階層的インデックスは、以下の３つのフィールド：RowＩＤ、FileＩＤ、およびDir＿entry＿list（配列として記憶される）を含むインデックスエントリを採用する。」との記載、段落００４４における「この発明のある実施例に従えば、階層的インデックス５１０は、子を有する項目のためのインデックスエントリのみを記憶する。」との記載等に基づきます。
　（ｂ）　「前記複数のインデックスエントリの各インデックスエントリは、前記複数個の項目のうちの１つの項目に対応しており」との補正事項は、たとえば、図５におけるＲｏｗＩＤとＦｉｌｅＩＤとを含む行の記載に基づきます。
　（ｃ）　「かつ、前記インデックスの全ての前記インデックスエントリの記憶場所を、前記記憶装置において識別する直接リンクを含むことにより、前記項目の子項目に対応するインデックスにおける全てのインデックスエントリに関連付けられており」および「前記第２のインデックスエントリは、前記インデックスにおける前記第１のインデックスエントリの第１の記憶場所を前記記憶装置において識別する第１の直接リンクを含む」との補正事項は、図５のDir_Entry_listの記載等に基づきます。
　　（２−２）　請求項２について
　（略） 　　 
　　（２−３）　請求項３について
　（略） 　　 
　　（２−３）　請求項４について
　（略） 　　 
　　（２−４）　請求項７について
　（略） 　　 
　　（２−５）　請求項９〜１２
　（略） 　　 
　　
第３　拒絶の理由Ａが解消していることについて
　　（３−１）　記１（１）について
　審判官殿は、請求項１〜２４の記載に関し、インデックスの行及び列の構造、または、インデックスエントリの各要素が不明りょうなため、インデックス自体の構成が不明りょうである旨の見解を示されました。
　これに対して出願人は、補正後の請求項１，１５，２２に、「前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を、前記記憶装置において識別する直接リンクを含むことにより、前記項目の子項目に対応するインデックスにおける全てのインデックスエントリに関連付けられており」との発明特定事項を記載致しました。補正後の記載によれば、インデックス自体の構成が明りょうになりますので、ご指摘の不備は解消したものと思料致します。
　　（３−２）　記１（２）について
　（略） 　　 
　　（３−３）　記２（１）について
　（略）
　　（３−４）　記２（２）について
　（略）
　　（３−５）　記３について
　（略）
　　（３−６）　記４について
　（略）
　　（３−７）　記５について
　（略）
　　（３−８）　記６（１）について
　（略）
　　（３−９）　記６（２）について
　（略）
　　（３−１０）　記７について
　（略） 　　 
　　（３−１１）　記８について
　（略）
　　　
第４　拒絶の理由Ｂが解消していることについて
　（略）
　　
第５　むすび
　以上の次第で、同日付提出の手続補正書においてした補正により、ご指摘の拒絶の理由は解消したものと思料致します。
　当該補正は、上記のとおり、願書に最初に添付した明細書、特許請求の範囲または図面に記載した事項の範囲内においてしたものであり、特許法第１７条の２第３項に規定する要件を満たす適法な補正であると確信致します。
　同日付提出の手続補正書とともに本願を再度ご審理の上、速やかに特許審決を賜りますようお願い申し上げます。」
　　　
 　 
 ５．拒絶理由Ａ．１．（１）についての当審の判断 
（１）請求項１，１５，２２について
（１−１）請求項１の発明特定事項
　請求項１は、
「【請求項１】　階層に編成されて記憶装置に記憶されている複数個の項目にアクセスするためにインデックス付けするための方法であって、各前記項目はリレーショナルデータベースシステムにおいて検索され、前記方法は、プロセッサを含むコンピュータによって実行され、
　前記プロセッサにより、前記記憶装置におけるインデックスを生成するステップを含み、前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を、前記記憶装置において識別する直接リンクを含むことにより、前記項目の子項目に対応するインデックスにおける全てのインデックスエントリに関連付けられており、
　前記プロセッサにより、前記複数個の項目の第１の項目のための第１のインデックスエントリを前記インデックスに記憶するステップとを含み、前記第１の項目は、前記階層において第２の項目の子であり、前記方法はさらに、
　前記プロセッサにより、前記複数個の項目の前記第２の項目のための第２のインデックスエントリを前記インデックスに記憶するステップを含み、前記第２のインデックスエントリは、前記インデックスにおける前記第１のインデックスエントリの第１の記憶場所を前記記憶装置において識別する第１の直接リンクを含む、方法。」
と記載されているように、「階層に編成されて記憶装置に記憶されている複数個の項目にアクセスするためにインデックス付けするための方法」に係る発明が記載されている。
　
　そこで請求項１において、インデックスにインデックス付けする事項についてみると、下記の２つの事項が記載されている。
　
（あ）「前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を、前記記憶装置において識別する直接リンクを含むことにより、前記項目の子項目に対応するインデックスにおける全てのインデックスエントリに関連付けられており」
　
（い）「前記プロセッサにより、前記複数個の項目の第１の項目のための第１のインデックスエントリを前記インデックスに記憶するステップとを含み、前記第１の項目は、前記階層において第２の項目の子であり、前記方法はさらに、
　前記プロセッサにより、前記複数個の項目の前記第２の項目のための第２のインデックスエントリを前記インデックスに記憶するステップを含み、前記第２のインデックスエントリは、前記インデックスにおける前記第１のインデックスエントリの第１の記憶場所を前記記憶装置において識別する第１の直接リンクを含む」
　　
（１−１−１）上記（あ）に記載された発明特定事項について
　上記（あ）には「直接リンク」という文言が記載されているが、この文言は発明の詳細な説明に記載されていないため、どのようなリンクであるか不明である。そして「直接リンク」がどのようなリンクであるか不明なため、「前記インデックスの全ての前記インデックスエントリの記憶場所を、前記記憶装置において識別する直接リンクを含むことにより、前記項目の子項目に対応するインデックスにおける全てのインデックスエントリに関連付けられ」の発明特定事項が不明りょうになっている。
　そこで、発明の詳細な説明を参酌して、「直接リンク」及び「前記インデックスの全ての前記インデックスエントリの記憶場所を、前記記憶装置において識別する直接リンクを含むことにより、前記項目の子項目に対応するインデックスにおける全てのインデックスエントリに関連付けられ」の解釈を行う。
　　
　本願明細書の【発明の詳細な説明】、図面には、「直接リンク」なる用語は記載されていないが、「リンク」については、以下の記載がある。
「【００３３】
　この発明のある曲面に従えば、エミュレートされる階層的システムに任意の子を有する各項目は、インデックス中にインデックスエントリを有する。インデックス中のインデックスエントリは、インデックスエントリと関連付けられた項目間の階層的関係を反映するように互いにリンクされる。具体的には、２つのインデックスエントリに関連付けられた項目間に親子関係が存在するならば、親項目に関連付けられたインデックスエントリは、子項目に関係付けられたインデックスエントリへの直接のリンクを有する。
【００３４】
　この発明の別の局面に従えば、パスネーム分解は、パスネーム内のファイル名のシーケンスに従って、パスネーム中の項目と関連付けられるインデックスエントリ間の直接のリンクを辿ることにより行なわれる。インデックスエントリがこのようにリンクされているインデックスを用いることにより、それらのパスネームに基づいて項目にアクセスするプロセスは、大きく加速され、そのプロセス中に行なわれるディスクアクセスの数は、大きく低減される。」
　　
「【００３７】
　　　　　　　　　　　　　　　機能概要
　パスネームに基づいてリレーショナルシステムにおける情報に効率的にアクセスするために階層的インデックスを生成、保守および使用し、それにより階層的に編成されたシステムをエミュレートするための技術をここに記載する。エミュレートされる階層的システム中に任意の子を有する各項目は、インデックス中にインデックスエントリを有する。インデックス中のインデックスエントリは、インデックスエントリに関連付けられた項目間の階層的関係を反映するように互いにリンクされる。具体的には、２つのインデックスエントリに関連付けられた項目間に親子関係が存在するならば、親項目に関連付けられたインデックスエントリは、子項目に関連付けられたインデックスエントリへの直接のリンクを有する。
【００３８】
　したがって、パスネーム分解は、パスネーム内のファイル名のシーケンスに従って、パスネーム中の項目に関連付けられたインデックスエントリ間の直接のリンクを辿ることにより行なわれる。インデックスエントリがこのようにリンクされたインデックスを用いることにより、それらのパスネームに基づいて項目にアクセスするプロセスは、大きく加速され、そのプロセス中に行なわれるディスクアクセスの数は、大きく低減される。」
　　　
「【００６８】
　ステップ６０４において、インデックスエントリがその親について生成される。この例では、インデックスエントリは、“App1”のために生成されるものである。ステップ６１０において、親の親のためのインデックスエントリに存在する、親のための配列エントリが、新しく生成されたインデックスエントリへのリンクを含むように更新される。この例では、“Unix”のためのインデックスエントリ５１６に存在する“App1”のための配列エントリ５１８が、階層的インデックス５１０内に、“App1”のための新しく生成されたインデックスエントリのRowＩＤを含むように更新される。ステップ６０６において、新ファイルDoc1.docのための配列エントリが、“App1”のための新しく生成されたインデックスエントリのDir＿entry＿listに挿入される。」
　　
　以上の記載から、「直接リンク」とは、本願明細書の【００３３】及び【００３７】に記載された、「２つのインデックスエントリに関連付けられた項目間に親子関係が存在するならば、親項目に関連付けられたインデックスエントリは、子項目に関係付けられたインデックスエントリへの直接のリンクを有する」の「直接のリンク」に相当すると認められる。
　そして、上記４．の請求人の意見書における主張では、上記（あ）に対応した補正事項が「図５のDir_Entry_listの記載等」に基づきます」との記載と、本願明細書の【００６８】の「親のための配列エントリが、新しく生成されたインデックスエントリへのリンクを含むように更新される。この例では、“Unix”のためのインデックスエントリ５１６に存在する“App1”のための配列エントリ５１８が、階層的インデックス５１０内に、“App1”のための新しく生成されたインデックスエントリのRowＩＤを含むように更新される。」の記載とから、「直接リンク」とは、図５に記載された階層的インデックスにおける「Dir_Entry_list内のRowＩＤ 」を意味するものと解される。
　
　次に、「前記インデックスの全ての前記インデックスエントリの記憶場所を、前記記憶装置において識別する直接リンクを含むことにより、前記項目の子項目に対応するインデックスにおける全てのインデックスエントリに関連付けられ」の記載について検討する。
　この記載では、「インデックスエントリの記憶場所を、前記記憶装置において識別する」ものが「直接リンク」とされている。また、上記で検討したように、「直接リンク」は階層的インデックスにおける「Dir_Entry_list内のRowＩＤ 」と解されるので、「前記インデックスの全ての前記インデックスエントリの記憶場所を、前記記憶装置において識別する直接リンクを含む」とは、図５に対応させて解釈すると、階層的インデックス内の全てのインデックスエントリのRowＩＤ列のRowＩＤ、即ち、「Ｙ１，Ｙ２，Ｙ３，Ｙ４，Ｙ５，Ｙ６」を階層的インデックスのDir_Entry_list内に直接リンクとして含むと解釈できる。
　そして「前記項目の子項目に対応するインデックスにおける全てのインデックスエントリに関連付けられ」の記載は、親の項目に対応するインデックスエントリが「直接リンクを含むことにより」、該親の項目と親子関係になる全ての子項目に対応するインデックスエントリと関連付けられ」ると解釈できる。
　
　次に、上記（あ）に記載された発明特定事項の上記解釈が発明の詳細な説明及び図面と対応しているかについて検討する。
　図５に対応させて上記（あ）に記載された発明特定事項を解釈すると、結局、各インデックスエントリは、Dir_Entry_list内に階層的インデックス内の全てのインデックスエントリのRowＩＤ列のRowＩＤを直接リンクとして含むことで、各インデックスエントリは子項目に対応したインデックスエントリに関連付けられることになる。具体的には、各インデックスエントリは、Dir_Entry_list内に「Ｙ１，Ｙ２，Ｙ３，Ｙ４，Ｙ５，Ｙ６」を直接リンクとして含むことで、子項目に対応したインデックスエントリに関連付けられることになる。
　しかしながら、発明の詳細な説明及び図面では、階層的インデックスにおけるインデックスエントリのDir_Entry_list内には、該インデックスエントリに対応する項目の子項目に関係付けられたインデックスエントリのRowＩＤは含まれるが、子項目ではない項目に関係付けられたインデックスエントリのRowＩＤまで含まれる点は記載されておらず、また、ルートディレクトの項目に関係付けられたインデックスエントリのRowＩＤであるＹ１をDir_Entry_list内に直接リンクとして含まれている点も記載されていない。
　よって、発明の詳細な説明及び図面を参酌して上記（あ）に記載された発明特定事項を解釈したとしても、上記（あ）に記載された発明特定事項におけるインデックスの構造、及び、インデックスエントリの各要素が、依然として不明りょうである。
　
（１−１−２）上記（い）に記載された発明特定事項について
　上記（い）では、「前記第２のインデックスエントリは、前記インデックスにおける前記第１のインデックスエントリの第１の記憶場所を前記記憶装置において識別する第１の直接リンクを含む」と記載されており、「直接リンク」が上記（１−１−１）で検討したように図５に記載された階層的インデックスにおける「Dir_Entry_list内のRowＩＤ 」であると解すると、結局、第２のインデックスエントリのDir_Entry_list内に子項目に対応した第１のインデックスエントリのRowＩＤを含むことが記載されていると認められるが、同時に、第２のインデックスエントリのDir_Entry_list内に第２のインデックスエントリの子項目ではない項目に関係付けられたインデックスエントリのRowＩＤまで含まれることも許容した記載になっていると認められる。
　よって、発明の詳細な説明及び図面を参酌して上記（い）に記載された発明特定事項を解釈したとしても、上記（１−１−１）で検討したように上記（い）に記載された発明特定事項におけるインデックスの構造、及び、インデックスエントリの各要素が、依然として不明りょうである。　
　　
　してみると、上記（１−１−１）及び上記（１−１−２）で検討したように、請求項１の記載は、発明の詳細な説明及び図面を参酌したとしても依然として不明りょうである。
　　　
（１−２）請求項１５の発明特定事項
　請求項１５は、
「【請求項１５】　階層に編成されて記憶装置に記憶されている複数個の項目にアクセスするためにインデックス付けするための命令の１つ以上のシーケンスを担持するコンピュータ読出可能媒体であって、各前記項目はリレーショナルデータシステムにおいて検索され、前記１つ以上のプロセッサによる前記命令の１つ以上のシーケンスの実行により、前記１つ以上のプロセッサは、
　前記記憶装置におけるインデックスを生成するステップを行い、前記インデックスは、複数のインデックスエントリを含み、前記複数のインデックスエントリの各インデックスエントリは、前記複数個の項目のうちの１つの項目に対応しており、かつ、前記インデックスにおける全てのインデックスエントリの記憶場所を前記記憶装置において識別する直接リンクを含むことにより、前記項目の子項目に対応するインデックスにおける全てのインデックスエントリに関連付けられており、
　前記複数個の項目の第１の項目のための第１のインデックスエントリを前記インデックスに記憶するステップとを行い、前記第１の項目は、前記階層において第２の項目の子であり、さらに、
　前記複数個の項目の第２の項目のための第２のインデックスエントリを前記インデックスに記憶するステップを行い、前記第２のインデックスエントリは、前記第１のインデックスエントリの第１の記憶場所を前記記憶装置において識別する第１の直接リンクを、前記インデックス中に含む、コンピュータ読出可能媒体。」
と記載されているように、「階層に編成されて記憶装置に記憶されている複数個の項目にアクセスするためにインデックス付けするための命令の１つ以上のシーケンスを担持するコンピュータ読出可能媒体」に係る発明が記載されている。
　
　そこで請求項１５において、インデックスにインデックス付けする事項についてみると、下記の２つの事項が記載されている。
　
（う）「前記インデックスは、複数のインデックスエントリを含み、前記複数のインデックスエントリの各インデックスエントリは、前記複数個の項目のうちの１つの項目に対応しており、かつ、前記インデックスにおける全てのインデックスエントリの記憶場所を前記記憶装置において識別する直接リンクを含むことにより、前記項目の子項目に対応するインデックスにおける全てのインデックスエントリに関連付けられており」
　
（え）「前記複数個の項目の第１の項目のための第１のインデックスエントリを前記インデックスに記憶するステップとを行い、前記第１の項目は、前記階層において第２の項目の子であり、さらに、
　前記複数個の項目の第２の項目のための第２のインデックスエントリを前記インデックスに記憶するステップを行い、前記第２のインデックスエントリは、前記第１のインデックスエントリの第１の記憶場所を前記記憶装置において識別する第１の直接リンクを、前記インデックス中に含む」
　　
　上記（う）及び（え）に記載された発明特定事項について
　上記（う）に記載された発明特定事項は上記（あ）に記載された発明特定事項に対応し、上記（え）に記載された発明特定事項は上記（い）に記載された発明特定事項に対応していることは明らかである。
　してみると、上記（１−１−１）及び上記（１−１−２）で検討したように、請求項１５の記載は、発明の詳細な説明及び図面を参酌したとしても依然として不明りょうである。
　　　　
（１−３）請求項２２の発明特定事項
　請求項２２は、
「　　【請求項２２】　メモリと、
　前記メモリに結合され、かつ階層に編成されて、記憶装置に記憶されている互いに関連する複数個の項目にアクセスするためのインデックス付けするための命令の１つ以上のシーケンスを実行するよう構成される１つ以上のプロセッサとを含み、前記１つ以上のプロセッサは、
　前記記憶装置におけるインデックスを生成するための生成手段を含み、前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を前記記憶装置において識別する直接リンクを含むことにより、前記項目の子項目に対応するインデックスにおける全てのインデックスエントリに関連付けられており、
　前記複数個の項目の第１の項目のための第１のインデックスエントリを前記インデックスに記憶するための手段を含み、前記第１の項目は、前記階層において第２の項目の子であり、さらに、
　前記複数個の項目の前記第２の項目のための第２のインデックスエントリを前記インデックスに記憶するための手段を含み、前記第２のインデックスエントリは、前記第１のインデックスエントリの第１の記憶場所を前記メモリにおいて識別する第１の直接リンクを、前記インデックス中に含む、コンピュータ装置。」
と記載されているように、「メモリと、前記メモリに結合され、かつ階層に編成されて、記憶装置に記憶されている互いに関連する複数個の項目にアクセスするためのインデックス付けするための命令の１つ以上のシーケンスを実行するよう構成される１つ以上のプロセッサとを含むコンピュータ装置」に係る発明が記載されている。
　　
　そこで請求項２２において、インデックスにインデックス付けする事項についてみると、下記の２つの事項が記載されている。
　
（お）「前記インデックスは、複数のインデックスエントリを含み、前記複数のインデックスエントリの各インデックスエントリは、前記複数個の項目のうちの１つの項目に対応しており、かつ、前記インデックスの全ての前記インデックスエントリの記憶場所を前記記憶装置において識別する直接リンクを含むことにより、前記項目の子項目に対応するインデックスにおける全てのインデックスエントリに関連付けられており」
　
（か）「前記複数個の項目の第１の項目のための第１のインデックスエントリを前記インデックスに記憶するための手段を含み、前記第１の項目は、前記階層において第２の項目の子であり、さらに、
　前記複数個の項目の前記第２の項目のための第２のインデックスエントリを前記インデックスに記憶するための手段を含み、前記第２のインデックスエントリは、前記第１のインデックスエントリの第１の記憶場所を前記メモリにおいて識別する第１の直接リンクを、前記インデックス中に含む」
　　
　上記（お）及び（か）に記載された発明特定事項について
　上記（お）に記載された発明特定事項は上記（あ）に記載された発明特定事項に対応し、上記（か）に記載された発明特定事項は上記（い）に記載された発明特定事項に対応していることは明らかである。
　してみると、上記（１−１−１）及び上記（１−１−２）で検討したように、請求項１５の記載は、発明の詳細な説明及び図面を参酌したとしても依然として不明りょうである。
　　
　　
（２）請求項８，２３について
（２−１）請求項８の発明特定事項
　請求項８は、
「【請求項８】　階層に編成されて記憶装置に記憶されている互いに関連する複数個の項目にアクセスするためのインデックスが記憶されているコンピュータ読出可能媒体であって、各前記項目はリレーショナルデータベースシステムに記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記コンピュータ読出可能媒体において識別する直接リンクを、前記インデックスに含むことによって、前記項目の子項目に対応するインデックス内のすべてのインデックスエントリに対してリンクされている、コンピュータ読出可能媒体。」
と記載されているように、「階層に編成されて記憶装置に記憶されている互いに関連する複数個の項目にアクセスするためのインデックスが記憶されているコンピュータ読出可能媒体」に係る発明が記載されている。
　
　そこで請求項８において、インデックスの事項についてみると、下記の事項が記載されている。
　
（き）「前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記コンピュータ読出可能媒体において識別する直接リンクを、前記インデックスに含むことによって、前記項目の子項目に対応するインデックス内のすべてのインデックスエントリに対してリンクされている」
　
　上記（き）に記載された発明特定事項について
　上記（き）に記載された発明特定事項は上記（あ）に記載された発明特定事項に対応していることは明らかである。
　してみると、上記（１−１−１）で検討したように、請求項８の記載は、発明の詳細な説明及び図面を参酌したとしても依然として不明りょうである。
　
　　
（２−２）請求項２３の発明特定事項
　請求項２３は、
「【請求項２３】　階層に編成されて記憶装置に記憶されている、互いに関連する複数個の項目にアクセスするためのインデックスが記憶されているメモリを含み、前記複数の項目の各々はリレーショナルデータベースシステムに記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記メモリにおいて識別する直接リンクを前記インデックスに含むことによって、前記項目の子項目に対応するインデックス内のすべてのインデックスエントリに対してリンクされている、コンピュータ装置。」
と記載されているように、「階層に編成されて記憶装置に記憶されている、互いに関連する複数個の項目にアクセスするためのインデックスが記憶されているメモリを含んだコンピュータ装置」に係る発明が記載されている。
　
　そこで請求項２３において、インデックスの事項についてみると、下記の事項が記載されている。　
（く）「前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記メモリにおいて識別する直接リンクを前記インデックスに含むことによって、前記項目の子項目に対応するインデックス内のすべてのインデックスエントリに対してリンクされている」
　
　上記（く）に記載された発明特定事項について
　上記（く）に記載された発明特定事項は上記（あ）に記載された発明特定事項に対応していることは明らかである。
　してみると、上記（１−１−１）で検討したように、請求項２３の記載は、発明の詳細な説明及び図面を参酌したとしても依然として不明りょうである。
　　　
　上記（１）及び（２）で検討したように、請求項１、１５、２２の記載、及び、請求項８、２３の記載は、発明の詳細な説明及び図面を参酌しても依然として不明りょうであるから、本願は、特許法第３６条第６項第２号に規定する要件を満たしていない。 
 　 
 　　　　
６．拒絶の理由Ｂについての当審の判断
　上記５．では、拒絶理由Ａ．１．（１）について、請求項１、１５、２２の記載、及び、請求項８、２３の記載では、インデックス及びインデックスエントリの構成が依然として不明りょうなので、本願は、特許法第３６条第６項第２号に規定する要件を満たしていないことを示した。
　ここで、仮に、請求項１、１５、２２の記載、及び、請求項８、２３の記載が特許法第３６条第６項第２号に規定する要件を満たしているとして、拒絶の理由Ｂを解消しているかについて検討する。
　　
（１）本願発明
　本願の請求項２３に係る発明は、平成２２年２月１８日付け手続補正書によって補正された特許請求の範囲の請求項２３に記載された事項により特定される、以下のとおりのものである（以下「本願発明」という）。
　　　　  
「【請求項２３】　階層に編成されて記憶装置に記憶されている、互いに関連する複数個の項目にアクセスするためのインデックスが記憶されているメモリを含み、前記複数の項目の各々はリレーショナルデータベースシステムに記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうちの１つの項目に対応し、かつ
　全ての前記インデックスエントリの記憶場所を前記メモリにおいて識別する直接リンクを前記インデックスに含むことによって、前記項目の子項目に対応するインデックス内のすべてのインデックスエントリに対してリンクされている、コンピュータ装置。」
　　
　　
（２）引用例 
　当審の拒絶の理由に引用された特開平７−８５１０２号公報（以下、「引用例」という）には、下記の事項が記載されている。
　　　
（ア）「【０００８】はじめに本発明における文書及びその文書に付随する情報（以下、文書情報と略記）の管理方法について図３を用いて説明する。文書及びその文書情報は、メモリ内のファイルを管理するための実体（ファイル）の情報のほか、文書内容などを管理するための辞書情報を有する。辞書情報は、語句を表す索引、索引間の上下関係による索引分類で構成される。また、ディレクトリ階層中のディレクトリ名等、文字列を索引辞書に記憶し、管理する。同辞書中の１つの文字列または、文字列とその文字列の同義語を要素とする文字列集合を索引と呼ぶ。したがって、１つの文字列を索引とするだけでなく、例えば、「ＣＰＵ」及び「中央演算装置」のように複数の文字列も１つの索引として記憶することができる。また１つの索引に複数の文字列が記憶されている場合、該文字列のうちの１つを該索引の索引名とする。索引は、索引間に数種類の階層関係を持つことができる。上記の階層関係も（メモリ内の）索引辞書に記憶し、管理する。階層関係のツリーを索引分類と呼ぶ。
【０００９】次に文書及びその文書情報の管理方法を用いる文書管理システムの全体構成と動作を説明するとともに、文書情報の表示方法の原理を説明する。図１は文書管理システムの機能構成図の一例である。ユーザは表示装置１０３、キーボード１０１及びマウスなどのポインティングデバイス１０２を介してシステムと対話する。本システムは、ユーザの要求に応じて、ユーザの文書を共用文書データベースに登録したり、文書情報を入力／更新したり、文書を検索したり、文書情報をブラウジングしたりする。実体の情報と、辞書情報の各データは、例えばテキスト形式で表現する。これらのデータは、システム起動時にデータの種類に応じて主記憶装置１０６に読み込まれ、内部データ構造に変換される。具体的には、索引、索引の階層関係、及び実体ファイルと文書の対応付け情報の各データは索引辞書１４０から、文書情報は文書データベース１２０からそれぞれ読み込まれる。内部データ構造に展開したデータは、文書または文書情報の表示、更新、検索のための処理が施される。
【００１０】ユーザとの対話情報、すなわちキーボード及びポインティングデバイスからの入力情報が解析され、その処理が実行される。ユーザの処理要求に応じて、メモリから文書情報、索引情報ディレクトリとの対応情報をそれぞれ取得する。本明細書では文書管理サーバ内に共用文書データベース１２０と索引辞書１４０をもっているが（図２参照）、別途辞書管理サーバを設けてもよい。」
　　　
（イ）「【００１８】実体情報、すなわち文書ファイル情報は、複数のファイルで構成される文書を一つの文書オブジェクトとして管理する。ただし簡単のため、本明細書では、１つの文書オブジェクトに対し１ファイルとする。
【００１９】ユーザが作成した文書を文書オブジェクトとして文書データベースに、その文書情報を索引辞書にそれぞれ格納しておき、上記文書データベース及び上記索引辞書の内容を主記憶装置に読み込む。文書データベースに登録されている文書オブジェクトと、索引辞書に登録されている索引を表示の対象とし、ユーザは表示装置１０３、キーボード１０１、マウスなどのポインティングデバイス１０２を用いて処理要求を出し、文書オブジェクトに付加された索引を手がかりとして文書オブジェクトを検索し、その検索結果を表示装置上に表示する。索引情報はテキストファイルに格納されているものとする。
【００２０】（プログラムの概要）本システムの文書登録処理、文書オブジェクト検索処理及び索引編集処理の概要を図２６を用いて説明する。上記のようにデータ、具体的には、索引とその同義語情報を保持する索引テーブル５００、索引分類の最上位索引情報を保持する索引分類テーブル６００、索引の階層関係を保持する索引階層テーブル７００、ディレクトリ情報を保持するディレクトリテーブル８００、索引とディレクトリの対応付け情報を保持する対応付け情報テーブル９００、文書オブジェクトに付加された索引の情報を保持する付加索引テーブル１０００、文書オブジェクトとして登録されている文書ファイルの情報を保持する文書オブジェクトテーブル１１００がメモリ内に展開されているものとする。
【００２１】（初期画面）はじめにユーザが所定のコマンドを入力したり、またはアイコンをポインディングデバイスで選択することにより、索引表示ウィンドウ３３００（図３３参照）もしくは３４００（図３４参照）を画面に表示する。この状態で、ユーザが入力した処理要求の種類によって、各機能を実行する。」
　　
（ウ）「【００２５】（内部データ構造の詳細）文書オブジェクト等の表示データを生成するためには、メモリに保持されている以下の情報を参照する。
【００２６】１）文書オブジェクト
２）索引
３）ディレクトリ対応情報
のデータ構造について説明する。図１を用いて説明すれば、文書データベースに格納された文書オブジェクトの情報、索引辞書に格納された索引情報及びディレクトリ対応情報を、それぞれ主記憶装置に展開する。これらのデータはすべてＩＤで管理されている。ただし本明細書では簡単のため名称で代用して表記することもある。
【００２７】図３に索引辞書内の索引分類の例を示す。「文書種類」３１０、「テーマ」３５０、「組織」３６０が、索引分類の最上位索引として索引辞書に登録されているものとする。例えば、索引「文書種類」の一層下位の索引として、「仕様書」３２０、「特許」３３０、「研報」３４０が、さらに索引「特許」の一層下位には「明細書」３３５、「図面」３３６が登録されている。
【００２８】一方、ディレクトリ階層の例を図４に示す。ディレクトリ「Ｐｒｏｊｅｃｔ０１」４２３を（ユーザ定義による）最上位のディレクトリとする。その下位ディレクトリとして「橋本」４２４、「山崎」４２５、「特許」４４４が登録されている。ディレクトリ「橋本」の一層下位には、「Ｓｐｅｃ」４４２、「Ｐａｔｅｎｔ」４４３が、ディレクトリ「山崎」の一層下位には、「テーマ＃１」４２６、「テーマ＃２」４４５がそれぞれ登録されている。
【００２９】ここで、文書ファイル「概念検索方式」４６４はディレクトリ「特許」４４４、文書ファイル「階層構造表示方法」４６６はディレクトリ「橋本」の下位ディレクトリ「Ｐａｔｅｎｔ」４６６、文書ファイル「文書管理方法」４６７はディレクトリ「山崎」の下位ディレクトリのうち、ディレクトリ「テーマ＃２」の下位の「特許」４４７にそれぞれ登録されている。すなわち、文書ファイル「階層構造表示方法」４６６は「橋本」に関する特許関連文書であり、文書ファイル「文書管理方法」４６７は「山崎」が「テーマ＃２」で何らかの関連のある特許関連文書であることが推察できる。一方、文書ファイル「概念検索方式」４６４はディレクトリ「Ｐｒｏｊｅｃｔ０１」の分類体系においては内容に適合するディレクトリ名がないため、「特許」４４４に分類されている。
【００３０】（索引テーブル、索引分類テーブル、索引階層テーブル）図３の索引の内部データ構造を図５から図７に示す。まず図５において、索引テーブル５００には索引ＩＤ、索引名、索引名の同義語を格納する。例えば、図３における索引「文書種類」３１０の索引ＩＤは「＃００１０」５１０であり、索引名の領域には文字列「文書種類」が格納されている。また索引「特許」３３０の索引ＩＤは「＃００１２」５１２であり、その同義語として「Ｐａｔｅｎｔ」が登録されていることもわかる。次に図６において、索引分類テーブル６００には索引分類ＩＤとその索引分類の最上位索引となる索引ＩＤを格納する。例えば、索引分類ＩＤ「＃００１」６０１に対応する索引ＩＤは「＃００１０」６１０が格納されている。これは、索引テーブル５００（図５）を参照すると、索引「文書種類」５１０がこの索引分類の最上位索引であることを示す。同様に、索引分類ＩＤ「＃００３」６０３、「＃００４」６０４に対応する索引分類の最上位索引は、索引ＩＤ「＃０１００」６２０である索引「テーマ」５２０、索引ＩＤ「＃０４００」６３０である索引「組織」５３０である。次に図７において、索引階層テーブル７００には上位索引となる索引ＩＤと下位索引となる索引ＩＤ群を格納する。例えば、索引「文書種類」に対応する索引ＩＤ「＃００１０」７１０の下位索引として、索引「仕様書」５１１（図５参照）に対応する索引ＩＤ「＃００１１」、索引「特許」５１２に対応する索引ＩＤ「＃００１２」、索引「研報」５１５に対応する索引ＩＤ「＃００１５」などが格納されている。以上のようにして索引名及び索引階層のデータを管理する。」
　
（エ）図４には、「Ｐｒｏｊｅｃｔ０１」が最上位のディレクトリとされ、「Ｐｒｏｊｅｃｔ０１」の一層下位のディレクトリとして「橋本」、「山崎」、「特許」が位置づけられ、さらに「橋本」の一層下位のディレクトリとして「Ｓｐｅｃ」、「Ｐａｔｅｎｔ」が位置づけられていることが記載されているので、引用例のディレクトリは上位下位関係を有する階層に編成され、互いに関連したものであるといえる。
　　
（オ）図７には、索引毎に該索引の一層下位に属する全ての索引との対応関係を索引ＩＤを用いて明記した索引階層テーブルの構造が記載されている。
　　
　よって、上記（ア）乃至（オ）及び関連図面から、引用例には、
「索引階層テーブルが記憶されている記憶装置を含み、階層に編成されて記憶装置に記憶されている互いに関連する複数個のディレクトリの各々は前記記憶装置に記憶されており、前記複数個のディレクトリのうちの１つ以上のディレクトリは、１つ以上の下位のディレクトリを有し、
　前記索引階層テーブルは、複数個の索引を含み、
　前記複数個の索引の各索引は、前記複数個のディレクトリのうち少なくとも１つのディレクトリに対応し、かつ、
　前記各索引には、該索引の下位となる索引の索引ＩＤが対応付けられた文書管理装置。」
の発明（以下、「引用発明」という）が記載されている。
　　　　
　　　　　　　　  
（３）対比 
（３−１）本願発明と引用発明との対応関係について
　引用発明の「ディレクトリ」、「下位のディレクトリ」は、本願発明の「項目」、「子項目」に相当している。
　　
　引用発明の「索引階層テーブルが記憶されている記憶装置」の記憶装置と本願発明の「インデックスが記憶されているメモリ」のメモリは、共にデータを記憶するものであること、引用発明では、階層に編成されて記憶装置に記憶されている互いに関連する複数個のディレクトリを含んでいること、引用例には、段落【００９０】に、「対応付け情報テーブル９００を参照して、索引と対応づけされているディレクトリがあるかどうか判定する。」ことが記載されていることをそれぞれ考慮すると、引用発明の「索引階層テーブル」は本願発明の「インデックス」に対応しており、引用発明の「索引階層テーブルが記憶されている記憶装置」は、本願発明の「階層に編成されて記憶装置に記憶されている、互いに関連する複数個の項目にアクセスするためのインデックスが記憶されているメモリ」に相当しているといえる。
　
　引用発明の「ディレクトリ」はコンピュータ装置内の記憶装置に記憶されており、本願発明の項目もコンピュータ装置内のリレーショナルデータベースシステムに記憶されているものなので、引用発明と本願発明は、「複数の項目の各々はコンピュータ装置内に記憶」されている点で共通している。
　
　引用発明の「索引」は、「索引階層テーブル」に含まれ、「ディレクトリ」に対応したものであるから、本願発明の「インデックスエントリ」に相当したものといえる。
　　　
　引用発明の文書管理装置は、コンピュータによって構成されていることは明らかであるから、引用発明と本願発明は、コンピュータ装置である点で共通している。
　
（３−２）本願発明と引用発明の一致点について
　上記の対応関係から、本願発明と引用発明は、
「階層に編成されて記憶装置に記憶されている、互いに関連する複数個の項目にアクセスするためのインデックスが記憶されているメモリを含み、前記複数の項目の各々はコンピュータ装置内に記憶されており、前記複数個の項目の１つ以上の項目は、１つ以上の子項目を有し、
　前記インデックスは、複数個のインデックスエントリを含み、
　前記複数個のインデックスエントリの各インデックスエントリは、
　前記複数個の項目のうち少なくとも１つの項目に対応しいる、コンピュータ装置。」
の点で一致している。
　　　　　
（３−３）本願発明と引用発明の相違点について
　本願発明と引用発明とは、下記の点で相違する。
（相違点Ａ）
　本願発明では、「各インデックスエントリは、前記複数個の項目のうちの１つの項目に対応」しているのに対し、引用発明では、「各索引は、前記複数個のディレクトリのうち少なくとも１つのディレクトリに対応」している点。
　　
（相違点Ｂ）
　本願発明は、「全ての前記インデックスエントリの記憶場所を前記メモリにおいて識別する直接リンクを前記インデックスに含むことによって、前記項目の子項目に対応するインデックス内のすべてのインデックスエントリに対してリンクされている」のに対し、引用発明はそのような構成とはなっていない点。
　
（相違点Ｃ）
　本願発明は、「複数の項目の各々はリレーショナルデータベースシステムに記憶」されているのに対し、引用発明ではそのような構成とはなっていない。
　　
（４）判断 
（４−１）相違点Ａについて
　引用例のディレクトリ階層関係は、図４に記載されている。そして、図４には「文書種類」に関する「特許」のディレクトリのように複数箇所に階層配置されるものと、「組織」に関するディレクトリのように単一箇所に階層配置されるものとがあり、「文書種類」に関するディレクトリや「組織」に関するディレクトリは、どのように文書を管理するかにより適宜選択されるものであるから、引用発明において、「組織」に関するディレクトリのように単一箇所に階層配置されるディレクトリのみから階層関係を設定することにより相違点Ａの構成とすることは、必要に応じて適宜設定する設計的事項に過ぎない。
　　
（４−２）相違点Ｂについて
　相違点Ｂの「全ての前記インデックスエントリの記憶場所を前記メモリにおいて識別する直接リンクを前記インデックスに含むことによって、前記項目の子項目に対応するインデックス内のすべてのインデックスエントリに対してリンクされている」の記載は、上記５．（５）に記載したように、明細書の記載を参酌しても不明りょうである。
　そこで、上記５．（２）で検討したように、「直接リンク」を図５に記載された階層的インデックスにおける「Dir_Entry_list内のRowＩＤ 」を意味するものとし、図５に記載された階層的インデックスの構成に基づいて解釈すると、相違点Ｂは、
「インデックスエントリが、該インデックスエントリに対応する項目の全ての子項目に対応するインデックスエントリのRowＩＤ をリンク情報として有する」
ことを意味している解される。
　次に、引用例の図７の索引階層テーブルをみると、左側には上位の索引の索引ＩＤが記載された索引ＩＤ欄と、右側には下位の索引の索引ＩＤが記載された索引ＩＤ欄を有することで、上位の索引の索引ＩＤ毎に、該上位の索引に属する全ての下位の索引との対応付けが明らかにされたテーブル構成が記載されている。そして、下位の索引の索引ＩＤと同じ索引ＩＤが、索引階層テーブル上の左側の索引ＩＤ欄に記載されることで、ある索引に属する下位の索引がリンクされる構成となっており、また、これらは索引ＩＤで索引階層テーブル内に位置づけられている。
　してみると、引用例の図７の索引階層テーブルは、「索引が、該索引に対応するディレクトリの全てのディレクトリに対応する索引の索引ＩＤをリンク情報として有する」構成となっているので、相違点Ｂの構成を有しているといえるので、引用発明において相違点Ｂの構成を採用することは格別なものとはいえない。
　
（４−３）相違点Ｃについて
　引用例には、図１にディレクトリ及び索引階層テーブルを記憶する索引辞書が記憶装置内に設けられ、また、ディレクトリに属する文書オブジェクトを記憶する文書データベースも記憶装置内に設ける点が記載されている。そして、文書オブジェクト及び検索等の処理に必要な情報をリレーショナルデータベースに記憶することは周知技術に過ぎないことから、引用発明において相違点Ｃの構成を採用することは格別なものとはいえない。
　
（４−４）本願発明の作用効果について　　　
　本願発明の作用効果も、引用例及び周知技術から当業者が予測できる範囲のものである。　　　　
　　
　　
７．むすび 
　上記５．に記載したように、本願は、特許法第３６条第６項第２号に規定する要件を満たしていない。
　また仮に本願が、特許法第３６条第６項第２号に規定する要件を満たしているとしても、上記６．に記載したように、本願発明は、当業者が引用発明及び周知技術に基いて容易に発明することができたものであるから、特許法第２９条第２項の規定により特許を受けることができない。 
　したがって、本願は、他の請求項について検討するまでもなく、拒絶されるべきものである。 
　よって、結論のとおり審決する。